(57)【要約】【課題】Ｅ１１口金タイプのハロゲン電球の電球形ＬＥＤランプでの代替品において、既存のＥ２６口金やＥ１７口金タイプの電球形ＬＥＤランプでの代替品の組立構造を踏襲することができるランプ装置を提供することにある。【解決手段】発光体を有するランプ部と、発光体を点灯するための点灯駆動回路と、点灯駆動回路を収納するケースからなる筐体部２と、筐体部２の一端と接続される口金シェル部４と、口金シェル部と接続される絶縁部３と、を有するランプ装置において、絶縁部３はアイレット部７を有し、筐体部２と口金シェル部４と絶縁部３とを別体で形成した。【選択図】  図３
2012226883.tif 000002
【特許請求の範囲】
【請求項１】
発光体を有するランプ部と、前記発光体を点灯するための点灯駆動回路と、前記点灯駆動回路を収納するケースからなる筐体部と、前記筐体部の一端と接続される口金シェル部と、前記口金シェル部と接続される絶縁部と、を有するランプ装置において、
前記絶縁部はアイレット部を有し、
前記筐体部と前記口金シェル部と前記絶縁部とを別体で形成したことを特徴とするランプ装置。
【請求項２】
請求項１に記載のランプ装置において、
前記絶縁部は、前記絶縁部の一部が前記口金シェル部と前記筐体部とにより挟まれて固定することを特徴とするランプ装置。
【請求項３】
請求項１に記載のランプ装置において、
前記絶縁部は連通する２つの開口を有しており、
前記開口の一方側にアイレット部が設けられており、
前記開口の他方側に外周方向に向かって拡がる縁部を有しており、
前記口金シェル部は前記筐体部の一部と前記縁部とを覆うような形状とすることを特徴とするランプ装置。
【請求項４】
請求項１に記載のランプ装置において、
前記筐体部と前記絶縁部は異なる材料で形成したことを特徴とするランプ装置。
【請求項５】
請求項１に記載のランプ装置において、
請求項１に記載のランプ装置において、絶縁部は筐体部よりも耐熱性に優れた材料から成形することを特徴とするランプ装置。
【請求項６】
前記絶縁部は、前記筐体部との係合部を少なくとも１つ有することを特徴とする請求項１に記載のランプ装置。
【請求項７】
請求項１乃至６の何れかに記載されたランプ装置において、前記口金はＥ１１口金であることを特徴とするランプ装置。
【発明の詳細な説明】
【技術分野】
【０００１】
本発明はランプ装置に係り、特にＥ１１口金のランプ装置に関するものである。
【背景技術】
【０００２】
近年、省エネルギー等を目的として、インバータ式点灯駆動回路を内蔵した電球形ＬＥＤランプ等のランプ装置が多く使用されるようになってきた。その中で、Ｅ１１口金タイプのハロゲン電球も電球形ＬＥＤランプへの代替が進んできている。
【０００３】
Ｅ１１口金タイプのハロゲン電球では、筐体部と口金の絶縁部（台座）が一体構造で成型されていた。また、ハロゲン電球の点灯安定時の表面温度が高温になるため筐体部と絶縁部（台座）にはセラミック材が使用されているのが主流である（特許文献１）。
【０００４】
Ｅ１７口金タイプやＥ２６口金タイプの電球型ＬＥＤランプでは、口金金属シェルと口金の絶縁部（台座）が口金部材として一体構造で成型されている（特許文献２）。
【先行技術文献】
【特許文献】
【０００５】
【特許文献１】特開２００２−３７３５７２号公報
【特許文献２】特開２０１１−０１４３０５号公報
【発明の概要】
【発明が解決しようとする課題】
【０００６】
しかし、ＪＩＳ規格（ＪＩＳＣ７７０９−１）により、Ｅ１１口金は、Ｅ２６口金やＥ１７口金よりも絶縁部（台座）高さ寸法を高くすることとなっている。そのため、Ｅ１１口金タイプの電球型ＬＥＤランプを成型する際に、Ｅ１７口金やＥ２６口金タイプの電球型ＬＥＤランプのように絶縁部材としてガラスを用いた口金金属シェルとの一体成型とすると、成型時にクラック等が発生する恐れがある。そのため、Ｅ１１口金タイプの電球形ＬＥＤランプを作成する場合、ハロゲン電球と同様に筐体部と口金部の絶縁部（台座）をセラミック材や樹脂材で一体構造にし、その後口金金属シェルを後付けするしかなく、構造設計の自由度が制限されていた。
【０００７】
また、絶縁部（台座）を樹脂材にした場合、絶縁部（台座）のアイレット部に点灯回路のトップリード線をはんだ固定する際に、高温のはんだごてにより樹脂材が溶ける不具合があった。
【０００８】
従って本発明の目的は、Ｅ２６口金やＥ１７口金タイプの電球形ＬＥＤランプの組立構造を踏襲することができるランプ装置を提供することにある。
【０００９】
更に、トップリード線をはんだ固定する際に不具合が生じないようなランプ装置を提供することにある。
【課題を解決するための手段】
【００１０】
上記目的は、発光体を有するランプ部と、発光体を点灯するための点灯駆動回路と、点灯駆動回路を収納するケースからなる筐体部と、筐体部の一端と接続される口金シェル部と、口金シェル部と接続される絶縁部と、を有するランプ装置において、絶縁部はアイレット部を有し、筐体部と口金シェル部と絶縁部とを別体で形成したことを特徴とするランプ装置によって達成される。
【００１１】
更に、絶縁部は筐体部よりも耐熱性に優れた材料から成形することが望ましい。
【発明の効果】
【００１２】
本発明によれば、発光体を有するランプ部と、発光体を点灯するための点灯駆動回路と、点灯駆動回路を収納するケースからなる筐体部と、筐体部の一端と接続される口金シェル部と、口金シェル部と接続される絶縁部と、を有するランプ装置において、絶縁部はアイレット部を有し、筐体部と口金シェル部と絶縁部とが別体で形成したことで、Ｅ１１口金タイプのハロゲン電球の代替品としての電球形ＬＥＤランプにおいて、筐体部と口金部を別パーツにし、筐体部の一部と口金部の絶縁部（台座）が独立した構造にでき、既存のＥ２６口金やＥ１７口金タイプの電球形ＬＥＤランプでの代替品の組立構造を踏襲するランプ装置を得ることができる。
【００１３】
更に、絶縁部の一部が口金シェル部と筺体部とにより挟まれて固定することにより既存のＥ２６口金やＥ１７口金タイプの電球型ＬＥＤランプでの代替品の組立構造を踏襲するランプ装置を得ることができる。
【００１４】
更に、絶縁部は連通する２つの開口を有しており、開口の一方側にアイレット部が設けられており、開口の他方側に外周方向に向かって拡がる縁部を有しており、口金シェル部は筐体部の一部と縁部とを覆うような形状とすることにより既存のＥ２６口金やＥ１７口金タイプの電球型ＬＥＤランプでの代替品の組立構造を踏襲するランプ装置を得ることができる。
【００１５】
または、絶縁部は筐体部よりも耐熱性に優れた材料から成形することによりはんだごてにより溶けるという不具合の生じる恐れが少なくなるランプ装置を得ることができる。
【００１６】
または、絶縁部は、筺体部との係合部を少なくとも１つ有することにより、絶縁部を筺体部に取り付けた後に絶縁部が動いてしまう恐れが少なくなるランプ装置を得ることができる。
【図面の簡単な説明】
【００１７】
【図１】本発明の第１の実施例に係るＥ１１口金のＬＥＤ電球の構成分解図である。
【図２】本発明の第１の実施例に係るＥ１１口金のＬＥＤ電球の全体斜視図である。
【図３】本発明の第１の実施例に係るＥ１１口金のＬＥＤ電球の口金部周辺の断面拡大図である。
【図４】本発明の第２の実施例に係るＥ１１口金のＬＥＤ電球の口金部周辺の拡大図である。
【発明を実施するための形態】
【００１８】
以下、本発明に係るランプ装置の実施例をＬＥＤ電球の場合を例にとって図面にしたがって説明する。図中に記載する参照符号は以下に説明する各実施例において全て共通符号とする。各図において、参照符号１は本発明の第１の実施例に係るＥ１１口金のＬＥＤ電球、２は筐体部、３は口金絶縁部（台座）、４は口金シェル部、５は点灯回路のトップリード線、６は点灯回路のサイドリード線、７はアイレット部、８はトップリード線はんだ固定部、９は本発明の第２の実施例に係る口金絶縁部（台座）３の凸部、１０は口金絶縁部（台座）の凸部９に系合する筐体部の凹部である。
【実施例１】
【００１９】
図１は本発明の第１の実施例に係るＥ１１口金のＬＥＤ電球１の構成分解図である。本ＬＥＤ電球１は発光体を有するランプ部（図示せず）と、前記発光体を点灯するための点灯駆動回路を有する回路部（図示せず）と、前記回路部を収納するケースからなる筐体部２と、Ｅ口金部を構成する口金絶縁部（台座）３と、口金シェル部４とを備える。筐体部２の一端は樹脂材で成形されており、口金絶縁部（台座）３はセラミックで成形されている。筺体部２は、２つの開口を有している。一方の開口は他方の開口よりも大きい。大きい方の開口から小さい方の開口に向かって小さくなる形状をしている。口金絶縁部（台座）３も２つの開口を有しており、一方の開口は他方の開口よりも小さい。また、本実施例においては、口金絶縁部（台座）３は略円錐台状となっている。口金絶縁部（台座）３の大きい方の開口は外側に広がる縁を有している。口金絶縁部（台座）３の小さい方の開口には導電性を有するアイレット部７が設けられている。口金絶縁部（台座）３の大きい方の開口から光が照射される。筺体部２の小さい方の開口には口金絶縁部（台座）３と口金シェル部４とが取り付けられる。本実施例において、口金シェル部４は両底面が開口した円柱形状をしている。口金シェル部４の一方の開口は他方の開口よりも小さい。口金シェル部４の一方の開口の大きさは筺体部２の口金側の外径と同程度の大きさとなっており、口金シェル部４の他方の開口の大きさは口金絶縁部（台座）３の縁よりも小さい大きさである。これにより、筺体部２に口金絶縁部（台座）３と口金シェル部４とを取り付けるときは、まず筺体部２の小さい方の開口に口金絶縁部（台座）３の大きい方の開口を合わせ、その後、口金シェル部４の大きい方の開口を口金絶縁部（台座）３の小さい方の開口側から取り付ける構造となっている。
【００２０】
図２は本発明の第１の実施例に係るＥ１１口金のＬＥＤ電球１の全体斜視図である。
【００２１】
図３は本発明の第１の実施例に係るＥ１１口金のＬＥＤ電球１の口金部周辺の縦断面拡大図である。図示のように、本ＬＥＤ電球１は筐体部２の一端に口金絶縁部（台座）３を配置し、口金シェル部４が筐体部２の一端と口金絶縁部（台座）３の一部を覆う配置により、口金絶縁部（台座）３が筐体部２の一端と口金シェル部４に挟まれて固定される。また、点灯回路のトップリード線５は筐体部２の一端の内側から口金絶縁部（台座）３とそのアイレット部７を貫通してトップリード線はんだ固定部８にて電気的接続固定する。点灯回路のサイドリード線６は筐体部２の一端の内側から外側に這わせて、口金シェル部４の内側と挟まれる配置にすることで口金シェル部４と電気的接続状態となる。
【００２２】
口金絶縁部（台座）３と口金シェル部４は、筐体部２に取付ける前に予め接着剤等で固定してもよい。また、口金絶縁部（台座）３の固定後に接着剤等で更に固定補強してもよい。
【００２３】
以上のように、実施例１のようなランプ装置によれば、発光体を有するランプ部と、発光体を点灯するための点灯駆動回路を有する回路部と、前記回路部を収納するケースおよび一端に前記筐体部２と嵌合され、電源ソケットに接続されるＥタイプ口金を備えたランプ装置であって、前記Ｅタイプ口金のアイレット部７を有する口金絶縁部（台座）３の一部が前記Ｅタイプの口金シェル部４と前記筐体部２の一端との間に挟まれて固定されることにより、Ｅ１１口金タイプのハロゲン電球の電球形ＬＥＤランプでの代替品において、既存のＥ２６口金やの１７口金タイプの電球形ＬＥＤランプでの代替品の組立構造を踏襲することができる。
【実施例２】
【００２４】
図４は本発明の第２の実施例に係るＥ１１口金のＬＥＤ電球１の口金部周辺の拡大図である。図示のように、口金絶縁部（台座）３に少なくとも１つ以上の凸部９（または凹部）を設け、さらに筐体部２の一端に口金絶縁部（台座）３の凸部９（または凹部）に係合する凹部１０（または凸部）を設けることで、筐体部２の一端に口金絶縁部（台座）３を配置し、口金シェル部４が筐体部２の一端と口金絶縁部（台座）３の一部を覆う配置により、口金絶縁部（台座）３が筐体部２の一端と口金シェル部４に挟まれて固定された際に、口金絶縁部（台座）３が、筐体部２の一端と接する面に対して略垂直方向を軸にして回転することを防止できる。このため、口金絶縁部（台座）３が回転することに起因する点灯回路のトップリード線５の断線や接触不良を防止できる。
【００２５】
以上のように、実施例２のようなランプ装置によれば、発光体を有するランプ部と、発光体を点灯するための点灯駆動回路を有する回路部と、前記回路部を収納するケースおよび一端に前記筐体部２と嵌合され、電源ソケットに接続されるＥタイプ口金を備えたランプ装置であって、前記Ｅタイプ口金のアイレット部７を有する口金絶縁部（台座）３の一部が前記Ｅタイプの口金シェル部４と前記筐体部２の一端との間に挟まれて固定されることにより、Ｅ１１口金タイプのハロゲン電球の電球形ＬＥＤランプでの代替品において、既存のＥ２６口金やＥ１７口金タイプの電球形ＬＥＤランプでの代替品の組立構造を踏襲することができる。また、実施例２のようなランプ装置によれば、口金絶縁部（台座）３に少なくとも１つ以上の凸部９（または凹部）を設け、さらに筐体部２の一端に口金絶縁部（台座）３の凸部９（または凹部）に係合する凹部（または凸部）を設けることで、口金絶縁部（台座）３を筐体部２に取り付ける際に位置決めがしやすいという効果に加え、取付後に口金絶縁部（台座）３が動きづらくなるという効果を奏する。
【産業上の利用可能性】
【００２６】
本発明はランプ装置に係り、特に口金，発光体及びそれを点灯するための例えばインバータ式点灯駆動回路を備えたランプ装置に関するものであり、産業上の利用可能性がある。
【符号の説明】
【００２７】
１  ＬＥＤ電球
２  筐体部
３  口金絶縁部（台座）
４  口金シェル部
５  点灯回路のトップリード線
６  点灯回路のサイドリード線
７  アイレット部
８  トップリード線はんだ固定部
９  口金絶縁部（台座）の凸部
１０  筐体部の凹部
【図１】
2012226883.tif 000003
【図２】
2012226883.tif 000004
【図３】
2012226883.tif 000005
【図４】
2012226883.tif 000006